Podtech/llm-jp-corpus-v4-ja_patent huggingface dataset:
(57)【要約】【課題】上部の吹き出し口側から吐出される空気が熱交換器全体を通過させることや、下部の吹き出し口側から吐出される空気が熱交換器全体を通過させることができない構成であるため、空気調和機の運転状態によって室内の温度分布が大きくなってしまう。【解決手段】筐体内部に上下方向に任意に移動可能で、熱交換器とシャーシ背面間において上下に設置されたクロスフローファンのそれぞれの風路を仕切る可動仕切板を有したことで、上下それぞれの吹き出し口に吐出する空気を熱交換器に通過させる面積が自由に変化でき、大幅に室内の温度分布を改善できる運転が可能となる。【選択図】図１
2006214603.tif 000002
【特許請求の範囲】
【請求項１】
筐体の前面側に吸い込み口と、前記吸い込み口の筐体内部に設けられた熱交換器と、前記吸い込み口の上下両端に設けられた複数の吹き出し口と、前記筐体内であって前記吸い込み口の奥部に設けられたクロスフローファンと、前記吹き出し口に通じる空気流路とを具備する室内送風ユニットであって、筐体内部に上下方向に移動可能な可動仕切板を有したことを特徴とする空気調和機。
【請求項２】
可動仕切板形状を略円弧形状としたことを特徴とする、請求項１記載の空気調和機。
【発明の詳細な説明】
【技術分野】
【０００１】
本発明は、室内の冷房または暖房を行う空気調和機の室内機に関するものである。
【背景技術】
【０００２】
従来、この種の空気調和機は複数の吹き出し口を有し、それぞれの吹き出し口において、吸込まれた空気が熱交換器を通過する面積をダンパーで変化させる機能を有するものもある（例えば、特許文献１参照）。
【０００３】
図２は、特許文献に記載された従来の空気調和機の略断面図を示すものである。図２に示すように、シャーシ１０の前面に吸込み口１１と吸込み口１１の上下方向に吹き出し口１５が形成され、シャーシ１０の内部には熱交換器１２と、熱交換器１２で凝縮した凝縮水を貯留するドレンパン１３と、吸込み口１１の上下方向にモータと接続されたクロスフローファン１４がそれぞれ配置され、また、シャーシ１０の内部にはそれぞれの吹き出し口１４へ吐出される空気が熱交換器１２と熱交換する面積を変化させるダンパー１６とダンパー１６と接触するストッパー１７から構成されている。
【特許文献１】実開平１−５６０９８号公報
【発明の開示】
【発明が解決しようとする課題】
【０００４】
しかしながら、前記従来の構成では上部の吹き出し口側から吐出される空気が熱交換器全体を通過させることや、下部の吹き出し口側から吐出される空気が熱交換器全体を通過させることができない構成であるため、空気調和機の運転状態によって室内の温度分布が大きくなってしまう課題を有していた。
【０００５】
本発明は、前記従来の課題を解決するもので、運転状態に関わらず室内の温度分布を大幅に改善できることを目的とする。
【課題を解決するための手段】
【０００６】
前記従来の課題を解決するために、本発明の空気調和機は筐体内部に上下方向に任意に移動可能で、熱交換器とシャーシ背面間において上下に設置されたクロスフローファンのそれぞれの風路を仕切る可動仕切板を有したものである。
【０００７】
これによって、上下それぞれの吹き出し口に吐出する空気を熱交換器に通過させる面積が自由に変化できることで、大幅に室内の温度分布を改善できる運転が可能となる。
また、本発明の空気調和機は上下に設置されたクロスフローファンのそれぞれの風路を仕切る可動仕切板形状を略円弧形状としたものである。
【０００８】
これによって、筐体内部の背面側の止水域をなくすことができるために、空力特性が向上でき、空気調和機の省エネルギーにが可能となる。
【発明の効果】
【０００９】
本発明の空気調和機は運転状態に応じて上下それぞれの吹き出し口に吐出する空気を熱交換器に通過させる面積が自由に変化できることで、大幅に室内の温度分布を改善できる運転が可能となる。
【発明を実施するための最良の形態】
【００１０】
第１の発明は空気調和機の筐体内部に上下方向に任意に移動可能で、熱交換器とシャー
シ背面間において上下に設置されたクロスフローファンのそれぞれの風路を仕切る可動仕切板を有するため、上下それぞれの吹き出し口に吐出する空気を熱交換器に通過させる面積が自由に変化できることで、大幅に室内の温度分布を改善でき、室内機設置空間の快適性向上が可能となる。
【００１１】
第２の発明は、特に、第１の発明の空気調和機に上下に設置されたクロスフローファンのそれぞれの風路を仕切る可動仕切板形状を略円弧形状としたことで、筐体内部の背面側の止水域をなくすことができるために、空力特性が向上でき、空気調和機の省エネルギーにが可能となる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の略断面図を示すものである。
【００１４】
図１において、シャーシ１０の前面に吸込み口１１と吸込み口１１の上下方向に吹き出し口１５が形成され、シャーシ１０の内部には熱交換器１２と、熱交換器１２で凝縮した凝縮水を貯留するドレンパン１３と、吸込み口１１の上下方向にモータと接続されたクロスフローファン１４がそれぞれ配置され、また、シャーシ１０の内部にはそれぞれの吹き出し口１４へ吐出される空気が熱交換器１２と熱交換する面積を変化させるために上下方向に任意に移動可能な可動仕切板２１から構成されている。
【００１５】
以上のように構成された空気調和機の室内機について、以下にその動作、作用を説明する。
【００１６】
まず、上下それぞれに運転可能なクロスフローファン１４の運転することで室内の空気が吸込み口１１からシャーシ内に流入する。
【００１７】
さらに、任意位置に固定された可動仕切板２１によって、上下それぞれの吹き出し口１５に流出する空気が熱交換器１２と熱交換する面積を変化させて室内に冷媒のエネルギーを供給する。
【００１８】
以上のように、本実施の形態においては可動仕切板２１が任意に移動できるために、運転状態によって、上下それぞれの吹き出し口１５に吐出する空気を熱交換器１２に通過させる面積が自由に変化できることで、大幅に室内の温度分布を改善でき、室内機設置空間の快適性向上が可能となる。
【００１９】
また、可動仕切板２１の形状を略円弧形状としたことで、シャーシ１０内部の背面側の止水域をなくすことができるために、空力特性が向上でき、空気調和機の省エネルギーにが可能となる。
【産業上の利用可能性】
【００２０】
以上のように本発明に係る空気調和機は、吹出し口が複数有る空気調和機の快適性の向上が図れるので、床置き型空気調和機や天吊型空気調和機など、複数の吹出し口を有する様々な空気調和機に適用することができる。
【図面の簡単な説明】
【００２１】
【図１】本発明の実施の形態１における室内機の略断面図
【図２】従来の室内機の略断面図
【符号の説明】
【００２２】
１１  吸い込み口
１２  熱交換器
１４  クロスフローファン
１５  吹き出し口
２１  可動仕切板
【図１】
2006214603.tif 000003
【図２】
2006214603.tif 000004
(57)【要約】【課題】処分される投票用紙を養生シートの材料として再利用し、環境負荷を軽減する。【解決手段】再生紙を用いた基材１に、ポリプロピレンから成る投票用紙を粉砕したペレットを主原料とするポリオレフィン系樹脂製のフィルム２をラミネートし、エンボス加工を施して上下表面に凸凹を生じさせる。このように、ポリプロピレンから成る投票用紙を再利用すると、環境負荷が軽減される。また、この養生シートが不要となった際には、焼却処分しても、基材１は、通常の紙と同様に燃焼し、フィルム２は炭酸ガスと水に分解されることから、ダイオキシンのような有害物質が発生することがない。【選択図】図１
2006214093.tif 000002
【特許請求の範囲】
【請求項１】
建造物等を保護する養生シートにおいて、ポリプロピレンから成る投票用紙を原料として再利用したことを特徴とする養生シート。
【請求項２】
請求項１に記載の養生シートにおいて、基材に投票用紙を原料とするフィルムをラミネートしたことを特徴とする養生シート。
【請求項３】
請求項１又は２に記載の養生シートにおいて、エンボス加工等を施して表面に凹凸を生じさせたことを特徴とする養生シート。
【発明の詳細な説明】
【技術分野】
【０００１】
この発明は、投票用紙を再利用して形成した養生シートに関するものである。
【背景技術】
【０００２】
一般に、議員や首長の選挙に際しては、投票所・開票所として、小・中学校の校舎や体育館、公民館、官公庁の庁舎等が使用される。このとき、これらの建造物の通路、階段、床等を保護するため、養生シートが張設される。
【０００３】
この養生シートとしては、塩化ビニル製のものが多く用いられているが、塩化ビニルを材料とするものでは、焼却処分時にダイオキシン等の有害物質が発生する恐れがあることから、他の材料から成る養生シートも種々開発されている。
【０００４】
例えば、下記特許文献１には、再生紙等からなる基材の表面にポリオレフィン系樹脂から成るフィルムを貼着したものが記載されている。
【０００５】
【特許文献１】特開平１１−２２３０２３号公報
【発明の開示】
【発明が解決しようとする課題】
【０００６】
ところで、選挙で使用されている投票用紙は、耐水性や折曲復元性を考慮して、大部分がポリプロピレン製であり、使用された投票用紙や棄権により使用されなかった投票用紙は、一定期間保管された後、投票の秘密保持上焼却処分や埋立処分される。
【０００７】
しかしながら、上記のようにポリプロピレン製の投票用紙を焼却すると、炭化物を含んだガスが排出され、埋立処分すると、自然分解されずに土壌中に残存するという問題がある。
【課題を解決するための手段】
【０００８】
上記課題を解決するため、この発明は、建造物等を保護する養生シートにおいて、ポリプロピレンから成る投票用紙を原料として再利用したのである。
【０００９】
また、基材に投票用紙を原料とするフィルムをラミネートし、基材として再生紙等を利用できるようにしたのである。
【００１０】
さらに、エンボス加工等を施して表面に凹凸を生じさせ、緩衝性を向上させると共に、床への敷設時における滑止性を向上させたのである。
【発明の効果】
【００１１】
このように、養生シートの原料として、ポリプロピレンから成る投票用紙を再利用すると、環境負荷が軽減され、また、新品樹脂の使用量を抑制でき、資源の有効利用を図ることができる。
【００１２】
また、不要となった養生シートを焼却処分する際にも、ダイオキシンのような有害物質が発生することがない。
【００１３】
そのほか、このように再生ポリプロピレンを含有する養生シートは、新品樹脂のみを使用したものに比べて、床に敷設したとき滑りにくく、安全性に優れたものとなる。
【発明を実施するための最良の形態】
【００１４】
以下、この発明の実施形態を添付図面に基づいて説明する。
【００１５】
図１に示す養生シートは、再生紙を用いた基材１の両面に、ポリプロピレンから成る投票用紙を粉砕したペレットを主原料とするポリオレフィン系樹脂製のフィルム２をラミネートし、エンボス加工等を施して上下表面に凸凹を生じさせたものである。
【００１６】
ここで、投票用紙のペレットに混入する樹脂の種類は任意であるが、性質やコストを考慮すると、ポリオレフィン樹脂が好ましい。また、フィルム２のラミネート方法は、Ｔダイ押出ラミネート等が一般的であるが、他の方法でもよい。
【００１７】
このように、養生シートの基材１を被覆するフィルム２の原料として、ポリプロピレンから成る投票用紙を再利用すると、環境負荷が軽減される。
【００１８】
また、フィルム２を製造する際、混入するポリエチレン等の新品樹脂の使用量が抑制されるほか、基材１の材料となる再生紙の利用も促進されるので、資源の有効利用を図ることができる。
【００１９】
また、この養生シートが不要となった際には、焼却処分しても、基材１は、通常の紙と同様に燃焼し、フィルム２は炭酸ガスと水に分解されることから、ダイオキシンのような有害物質が発生することがない。
【００２０】
なお、この養生シートに、印刷や浮き彫り加工等により「投票用紙の再利用」等の表示をしておくと、環境保護を重視している印象を強調することができる。
【００２１】
上記のように、紙製の基材１を樹脂製のフィルム２でラミネートした養生シートは、耐久性、耐水性等に優れ、汚れにくく、屋外での使用にも適したものとなる。
【００２２】
また、使用場所に応じて、適宜切断でき、張設面に沿うように平面又は曲面となし、粘着テープで容易に貼り付けることができる。
【００２３】
また、基材１自体の弾力に加えて、エンボス加工等を施して両側表面に凹凸を生じさせているので、表面が平坦なものよりも、緩衝性が向上すると共に、床への敷設時における滑止性も向上する。
【００２４】
さらに、強力な緩衝性を得る必要がある場合には、基材１やフィルム２、又は他の材質から成るシートやフィルムを多層に積層して貼り合わせることにより、対応することができる。
【００２５】
なお、基材１の材料としては、段ボール等の紙加工品や、インシュレーションボード等の木質加工品等、ある程度の厚さと弾力を有し、養生適性のあるものであれば、種々のものを使用することができる。
【００２６】
また、上記実施形態では、投票用紙を主原料とする樹脂をフィルム２に加工して、紙製の基材１に貼り合わせたが、この樹脂自体を厚みを有するマットに加工してもよく、気泡を生じさせて、発泡シートやエアーキャップ等に加工してもよい。
【００２７】
そして、これらの養生シートの利用方法としては、選挙の投票所・開票所における建造物の保護のほか、一般の養生シートと同様、建築現場における完成部分の保護や、引越し作業時の建物の保護に使用でき、また、災害発生時に避難所として提供される体育館等の床敷に使用しても、優れた断熱性や遮音性を得ることができる。
【図面の簡単な説明】
【００２８】
【図１】この発明の実施形態に係る養生シートの断面図
【符号の説明】
【００２９】
１  基材
２  フィルム
【図１】
2006214093.tif 000003
(57)【要約】      （修正有）【課題】足の指のむれを防止し、しもやけになりにくいタイツの提供。【解決手段】タイツのつま先を切り取って通気を良くして、１２コ−ルのゴムを入れることで足に合いゴムがつま先を刺激してくれ健康効果が高まった。【選択図】図２
2006214065.tif 000002
【特許請求の範囲】
【請求項１】
つま先の無いタイツにする。本来品のタイツを加工してつま先を切り１２コ−ルのゴムをつける。
【発明の詳細な説明】
【技術分野】
【０００１】本発明は一般のタイツの足のむれを防ぐようにする。
［背景技術］【０００２】［特許文献１］  なし。
［非特許文献１］なし。
［発明の開示］
［発明が解決しようとする課題］【０００３】一般のタイツは足がむれやすいので冬場はしもやけになりやすい。
［課題を解決するための手段］【０００４】一般のタイツのつまさきを切り通気を良くした。
［発明の効果］【０００５】足の指のむれを防ぐ。ゴムの刺激がここち良い。
［発明を実施するための最良の形態］【０００６】一般のタイツのつま先を切り１２コ−ルの平ゴムを入れる。
［実施例］【０００７】発明者が３年近く使用で足がむれずしもやけにならない。
［産業上の利用可能性］【０００８】ウオ−キング用として綿のくつ下とセットで売る。
【図面の簡単な説明】
【０００９】
【図１】タイツ全体と足の指先の図。
【図２】つま先の足の指がゴムで刺激されてそのまま止まっている。
【図１】
2006214065.tif 000003
【図２】
2006214065.tif 000004
(57)【要約】【課題】  携帯用のマントであって、地震地やレジャー地などの屋外でトイレ行為や着替えのとき、人体をスッポリ覆うことができ、使用しないときは小さく折りたたんでコンパクトに携帯できる携帯マントを提供する。【解決手段】  防水生地からなる略円錐状のマントであって、頭部をフードとし下方を胴体部となし、フードの先端から胴体部にかけて前面部に縦長状の開口部を設け、開口部はスライドファスナーで開閉自在とし、フードと胴体部に円環状の環状ワイヤーを設け、胴体部の内側に上方を開口したポケットを設け、マント全体を折りたたんで外ポケットに挿入自在とする。【選択図】  図１
2006214068.tif 000002
【特許請求の範囲】
【請求項１】
防水生地からなる略円錐状のマントであって、頭部をフードとし下方を胴体部となし、フードの先端から胴体部にかけて前面部に縦長状の開口部を設け、開口部はスライドファスナーで開閉自在とし、フードと胴体部に円環状の環状ワイヤーを設け、胴体部の内側に上方を開口したポケットを設け、マント全体を折りたたんで外ポケットに挿入自在とする。
以上の構成よりなる携帯マント
【発明の詳細な説明】
【技術分野】
【０００１】  本発明は、緊急時に、他人に見られないで小スペースで、トイレ行為や着替えなどが出来る、身体をスッポリ覆うマントに関するものである。
【背景技術】
【０００２】  従来、車の中で、肩から身体にスッポリ被るだけのマントであった。
（特許文献１参照）
【特許文献１】特開平８−２１８２０７号公報
【発明の開示】
【発明が解決しようとする課題】
【０００３】  そのために、次のような問題点があった。
マントの内側が見えないので、作業がしずらい。又マントが身体に密着してしまうので、外側から見て何をしているのか分ってしまう。屋外での使用も出来なくなる。
本発明は以上の問題点を解決しようとするものである。
【課題を解決するための手段】
【０００４】  フードとワイヤー（肩と膝あたりに）を付けて膨らみをもたせる事により、自分の目で見て内側の作業をする事ができる。生地を防水にすれば雨の日や屋外でも使用はできる。前ファスナーで開閉すれば、フードだけはずすことも出来るし、着脱作業もしやすくなる。又ワイヤーを外す事によって防寒用にもなる。以上を特徴とする携帯マントとする。
【発明の効果】
【０００５】  本発明は災害時や、急を要すときなどは、片隅、車中、屋外など様々な場所で，生理的な作業や、着替えなどが出来る。その上、防寒用としても使用できる。したがって、長い時間我慢したり、長い時間待ったりすることも無く使用できる。また携帯する時は、コンパクトにして持ち歩きできるので大いに必要なマントである。
【発明を実施するための最良の形態】
【０００６】  以下本発明の実施の形態について説明する。
（イ）全体が防水の生地からなる頭部のフード（１）と中央が胴体部（２）と下端が垂れ部（３）からなり、一体にできている。
（ロ）フード（１）及び胴体部（２）前面にフード（１）の上端より胴体部（２）の下端まで縦長状に開閉部（４）を設け、スライドファスナー（５）により開閉自由にする。
（ハ）フード（１）と胴体部（２）の境部に弾性金属製の環状ワイヤー（６）を取り出し穴（７）より出し入れ可能とする。
（ニ）胴体部（２）と垂れ部（３）の境部に弾性金属製の環状ワイヤー（８）を取り出し穴（９）より出し入れ可能とする。
（ホ）胴体部（２）の内側に上方を開口したポケット部（１０）と手提げ（１１）を設ける。
本発明は、以上の構成より成っている。
本発明を使用する時は、下から身体をスッポリ被る。ワイヤー（６）（８）を入れることによって自分の目で下方が見えるし、懐が広くなるので、トイレ行為や着替えなどがし易くなる。（６）のワイヤーを（７）の取り出し穴より、（８）のワイヤーを（９）の取り出し穴より取り出すことで、防寒用マントにもなる。ファスナー（５）は、胴体部（２）の下端よりフード（１）の上頭部に向かって取り付ける。フード（１）の部分だけファスナー（５）を開けることで、外も見えるし、フード（１）を脱ぐこともできる。ファスナー（５）の全開放は、マントを着脱する時など便利である。また内ポケット部（１０）を付けることによって、２重にしたワイヤー（８）と一緒に全体を丸めて収納することが出来る。手提げ（１１）は、持ち運びに便利である。また下部のワイヤー（８）のみ取り外し、胴体部（２）垂れ部（３）を広くすることによって、マントは車椅子用にもなる。
【図面の簡単な説明】
【０００７】
【図１】本発明の斜視図
【図２】本発明の使用状態を示す斜視図
【図３】本発明をポケット収容したときの正面図
【符号の説明】
【０００８】  １  フード
２  胴体部
３  垂れ部
４  開閉部
５  ファスナー
６  環状ワイヤー
７  取り出し穴
８  環状ワイヤー
９  取り出し穴
１０  内ポケット部
１１  手提げ
【図１】
2006214068.tif 000003
【図２】
2006214068.tif 000004
【図３】
2006214068.tif 000005
(57)【要約】【課題】着脱が容易で使用時に安全な雨具が望まれる。自転車使用時にかごのカバ−ともなるようなものが望まれる。【解決手段】着脱に利便なポンチョ型コ−トとし、コ−ト裏側に自転車のかごとコ−トを留めるクリップを設けることで、かごカバ−とコ−トが一体型となるようにした。フ−ドが顔にフィットするような形をとり、使用時の安全も保持されることとした。【選択図】図１
2006214067.tif 000002
【特許請求の範囲】
【請求項１】
頭を覆うフ−ド部分にファスナ−、スナップを使用しない着脱に利便なポンチョ型コ−トからなる雨具。
【請求項２】
頭を覆うフ−ド部の顔回りに紐通路を設け、紐を通し、顎下部ストッパ−で紐を固定し顔回りにフィットさせ、雨の侵入を防ぎ、視界を妨げないものとする。
【請求項３】
前身頃を長くすることにより、自転車のかごも覆えるようにし、かごカバ−とコ−トが一体型の雨具とした。かごカバ−が風によりめくれることを防ぐため、前身頃裏側に、洗濯バサミのようなクリップを２カ所設け、かごの両サイドに固定できる形とした。前身頃裏のクリップは自転車を降りた時にコ−トの裾が邪魔にならないように、裾をおりたたみピンチで留め長さを調節できるものとし、自転車使用時、不使用時にもレインコ−トの役割を果たすものとした。
【発明の詳細な説明】
【技術分野】
【０００１】本発明は雨具に属する。
【背景技術】
【０００２】一般的なレインコ−トは着脱にファスナ−、スナップ等を用いるため、着脱が容易ではない。一般的なレインコ−トのフ−ドは大きめで調整しにくく、ずれると雨をうけてしまう。また顔面に被さると視野を妨げる危険がある。自転車に乗ると前身頃の合わせ目が開いてしまい、雨が衣服にしみこんでしまう。足もともさばきづらく危険である。
【発明の開示】
【発明が解決しようとする課題】
【０００３】自転車使用時、傘がさせない時に雨具として機能しかつ安全な雨具が必要とされる。そのためには、従来のようにフ−ドがづれたり、脱げない雨具が必要である。また、着脱に利便で、足のさばきも自由にでき、自転車のかごカバ−の役目もはたすような一体型の雨具が望まれる。
【課題を解決するための手段】
【０００４】本発明は上記課題を解決するためになされたものである。着脱にファスナ−、スナップを使用せず、ポンチョ型にすることで着脱が容易に行える。被るフ−ドにつばをつけ、つばの両側から両側面に紐通路を設け、紐通路に紐を通し、顎下に設けたストッパ−で紐を調節して顔回りにフィトするように留める。自転車を降りて使用する場合は裾をたたんで、前身頃裏に設けた２カ所のクリップで裾の長さを調節できるものとした。
【発明の効果】
【０００５】前身頃裏に洗濯バサミのようなクリップを２カ所設けることで、自転車かごのカバ−もできる雨具。自転車を使用しない時にもレインコ−トとして使用が可能である。自転車使用時、足まわりが自由で安全である。フ−ド側面に紐を通すことによりフ−ドをよりフィットさせることができ、脱げたりせず視界も良好に保てる。
【発明を実施するための最良の形態】
【０００６】頭からフ−ドを被り顎下のスットパ−を用い顔回りにフ−ドがフィトするように固定する。コ−ト前身頃裏のクリップを自転車のかごにはさみ固定する。自転車を使用しない場合は裾を畳んでクリップで留め長さの調節ができる。
【図面の簡単な説明】
【０００７】
【図１】レインコ−トの前面図である。
【図２】フ−ド部分の図である。つばの両側に紐通路を設け顎下のストッパ−で紐を調節しフィットさせる。
【図３】レインコ−トの後面図である。後身頃は前身頃より短くする。
【図４】前身頃裏のクリップ部の図である。クリップは左右平行に設ける。
【図１】
2006214067.tif 000003
【図２】
2006214067.tif 000004
【図３】
2006214067.tif 000005
【図４】
2006214067.tif 000006
(57)【要約】      （修正有）【課題】介護用、リハビリ用スラックスで介護を容易にかつ、可能な限り自立支援を促せるように着脱を容易に出来るように工夫を施したスラックスの提供。【解決手段】座位、仰臥位でも股間部及び臀部の開閉に対して安易に出来るように、ファスナーによる開閉部をスラックス類の前部に設けた。【選択図】図１
2006214072.tif 000002
【特許請求の範囲】
【請求項１】
着脱を容易に出来るように工夫を施した
【請求項２】
前記着脱が容易な部分は、従来のジッパー部分の位置をずらし、ファスナー（コンシールファスナー含む）を使用して、着座の状態でも「着脱」を容易にした請求項１記載のスラックス
【発明の詳細な説明】
【発明属する技術分野】
【０００１】本発明は老人、要介護者、病人、障害者等の衣類に属する。
【背景技術】
【０００２】老人、要介護者、病人、障害者用の寝装着、室内着、治療兼用外出着として、ファスナー・ホックつきのスラックスがある。
【発明が解決しようとする課題】
【０００３】従来の介護用、リハビリ用スラックスは、介護を要する機能性重視を前提に開発されており、寝巻きに近い構造である。
【０００４】可能な限り自立支援を促すためには看護人または介護者等、他の人手により衣類の脱着をしやすくし、また全面依存することなく自分でこの作業を行いうる方法や衣類が求められる。
【課題を解決するための手段】
【０００５】本発明は上記問題を解決しうる介護・リハビリ用衣類、特にズボン・スラックスに関し、必要時にこれら衣類を仰臥位や座位特に車椅子使用のままでも臀部、股間を開閉できるスラックス類を提供する。
【０００６】着用時にもウエスト部分の衣類のもたつきを抑え、背部、腹部の冷えを防ぎ見た目にも健常者と同様のファッション性を提供しうる便利な手段ならびにその縫製方法、デザインを提供するものである。
【０００７】ファスナー類（コンシールファスナー含む）による開閉部をスラックス類の前部に設け、座位、仰臥位でも股間部及び臀部の開閉に対して安易にするとともに、介護者本人によってもその行為が充分無理なくできる構造である。
【０００８】また、股上部分を極端に深くすることにより通常のズボン・スラックス等と同様の外観スタイルやデザインとなり、股上部分が深いことにより防寒・保湿の面にも優れ、健常者が着用する衣類となんら変わらず、特に違和感もなくおしゃれという本来の衣料品のあるべき姿が保持できる。
【発明を実施するための最良の形態】
【０００９】発明の実施の形態実施例に基づき図面を参照して説明する。
図１のスラックス前面立体図形状の示す通り、前身ごろと後ろ身ごろの間にひざ上までのファスナー（図１▲１▼の部分）（コンシールファスナー含む）をウエスト部分に開閉しうる構造である。
ファスナー開口時の形状は見栄えの点でよくないが、着用したときの「着易さ・着せ易さ」と「着用時の『ファッション性』」という利点がある。【００１０】図２は仕上がり時の後ろ立体図のスラックス形状である。▲２▼で示す通り後ろ身ごろの股上の深さに極端な差をもうけている。股上の深さに極端な差により、「動作時」「介護時」に生じる「上衣のはみ出し」が防止できる。
股上部分を極端に深くすることにより通常のズボン・スラックス等と同様の外観スタイルやデザインとなり、股上部分が深いことにより防寒・保湿の面にも優れ、健常者が着用する衣類となんら変わらず、特に違和感もなくおしゃれという本来の衣料品のあるべき姿が保持きる。【００１１】また、ウエスト部分はゴム（図１，２▲３▼）とし、着脱動作の際の簡易化を図っている。
【作用】
【００１２】このように構成したスラックス等によれば、車椅子使用時、便器・便座に跨ったままでもファスナー部分を下ろし開放すれば、スラックス等の前部・後部が部分的または同時に開放されるので、簡単に股間部・臀部を露出することができる。
【発明の効果】
【００１３】このようにして座位、仰臥位がでもまた、車椅子使用時、便器・便座に跨ったままでもファスナー部分を下ろし開放できれば、オムツや下着としてＴ字帯や前開きショーツ類を使用している要介護者や障害者等の方の排泄行為を、スラックス等の上げ下げ、脱着のために無理に立ち上がらせる必要がなく、座位のまま介助でき労力を少なくできる。
【００１４】更に、尿とり・失禁用パット類ならびに生理用品などの交換も容易となり介護者等の補助なしで自己処理ができるため、プライバシー保護に大いに役立つ。また、デザイン性に優れているため、着衣の乱れが最小限に抑えられ男女を問わず精神的な開放感を得られる。
【００１５】ファスナー位置の工夫により、前面に配置することで、座位のまま着脱が容易になりうる。とかく、「介護用品は価格が高い」のが難点だが、縫製工程の「確実なシステム化」により、価格を安価に抑えられ「普段着」として汎用化が可能である。
【実施例】
【００１６】問屋への卸販売・インターネット販売
【産業上の利用可能性】
【００１７】  「高齢化・少子化」に伴ない、要介護高齢者は増加しているが、実際には「介護人の不足」「自立への本人の希望」により、「より安価で、使い易く、かつお洒落な『実用的衣服』」の開発は急務である。高齢者だけでなく、「身体障害者」にも対応する「製品」の産業上の利用可能性は極めて高いといえる。
【図面の簡単な説明】
【００１８】
【図１】スラックス前面立体図形状
【図２】スラックスの後ろ立体図形状
【符号の説明】
【００１９】▲１▼  ファスナー装着部分（コンシールファスナーを含む）
▲２▼  前後身ごろのまた上の深さの差
▲３▼  ゴム芯装着部分
コンシールファスナーとはつけたあと、ファスナーが表から目立たないタイプのものです。
【図１】
2006214072.tif 000003
【手続補正書】
【提出日】平成17年7月4日(2005.7.4)
【手続補正１】
【補正対象書類名】図面
【補正対象項目名】全図
【補正方法】変更
【補正の内容】
【図１】
2006214072.tif 000004
【図２】
2006214072.tif 000005
(57)【要約】【課題】自立支援を念頭においた着脱の容易な衣類。【解決手段】介護用、リハビリ用プルオーバーを、介護を容易にかつ、可能な限り自立支援を促せるように着脱を容易にできるように工夫を施したプルオーバー。【選択図】図１
2006214071.tif 000002
【特許請求の範囲】
【請求項１】
着脱が容易に出来、後ろ身ごろを長くしはみ出さないように工夫を施したプルオーバー
【請求項２】
前記着脱が容易な部分は、従来の前開きファスナーから、ファスナー（コンシールファスナー含む）を両袖部分に使用して、着座、仰臥の状態でも「着脱」を容易にしかつ、後ろ身ごろを長くし、スラックスからはみ出さないように工夫した請求項１記載のプルオーバー。
【発明の詳細な説明】
【発明属する技術分野】
【０００１】本発明は老人、要介護者、病人、障害者等の衣類に属する。
【背景技術】
【０００２】老人、要介護者、病人、障害者用の寝装着、室内着、治療兼用外出着として、ファスナー・ホックボタンつきのプルオーバーがある。
【発明が解決しようとする課題】
【０００３】従来の介護用、リハビリ用プルオーバーは、介護を要する機能性重視を前提に開発されており、寝巻きに近い構造である。
【０００４】可能な限り自立支援を促すためには看護人または介護者等、他の人手により衣類の脱着をしやすくし、また全面依存することなく自分でこの作業を行いうる方法や衣類が求められる。
【課題を解決するための手段】
【０００５】本発明は上記問題を解決しうる介護・リハビリ用衣類、特にプルオーバーに関し、必要時にこれら衣類を仰臥位や座位特に車椅子使用のままでも着脱しやすいプルオーバーを提供する。また、加齢、術後、病状により腕の上がらない若しくは上がりにくい人でも容易に着脱できるように工夫。
【０００６】後ろ身ごろを長くする事により、着用時にもウエスト部分の衣類のもたつきを抑え、背部、腹部の冷えを防ぎ見た目にも健常者と同様のファッション性を提供しうる便利な手段ならびにその縫製方法、デザインを提供するものである。
【０００７】ファスナー類（コンシールファスナー含む）による開閉部をプルオーバー両袖前方に設け、座位、仰臥位、腕が上がらなくても着衣の際の開口部を拡大して安易にするとともに、介護者本人によってもその行為が充分無理なくできる構造である。
【０００８】また、後ろ身ごろを長くする事により通常の上着等と同様に外観が保てるほか、腰、臀部部分がしっかりと覆われ、防寒・保湿の面にも優れ、健常者が着用する衣類となんら変わらず、特に違和感もなくおしゃれという本来の衣料品のあるべき姿が保持できる。
【発明を実施するための最良の形態】
【０００９】発明の実施の形態実施例に基づき図面を参照して説明する。
図１のプルオーバー前面立体図形状の示す通り、前身ごろ両袖ひじ下までのファスナー（図１▲１▼の部分）（コンシールファスナー含む）を首回り部分で開閉しうる構造である。
ファスナー開口時の形状は見栄えの点でよくないが、着用したときの「着易さ・着せ易さ」と「着用時の『ファッション性』」という利点がある。【００１０】図２は仕上がり時の後ろ立体図のプルオーバー形状である。▲２▼で示す通り後ろ身ごろの長さに極端な差をもうけている。前後身ごろの極端な差により、「動作時」「介護時」に生じる「上衣のはみ出し」が防止できる。
後身ごろを極端に長くすることにより通常のプルオーバー等と同様の外観スタイルやデザインを保てる上、後身ごろが長いことにより防寒・保湿の面にも優れ、健常者が着用する衣類となんら変わらず、特に違和感もなくおしゃれという本来の衣料品のあるべき姿が保持きる。【００１１】また、袖口、裾周りは折り返し縫いで仕上げており、（図１，２▲３▼、▲４▼）とし、着脱動作の際の簡易化を図ると共に高齢者のゴムによるアレルギー対策を施してある。
【作用】
【００１２】このように構成したプルオーバー等によれば、車椅子使用時、仰臥位でもファスナー部分を下ろし開放すれば、プルオーバー等の前部・後部の大部分開放されるので、簡単に着脱することができる。
【発明の効果】
【００１３】このようにして仰臥位や座位特に車椅子使用時、加齢、術後、病状により腕の上がらない若しくは上がりにくい人でもファスナー部分を下ろし開放できれば、「かぶる」という動作だけで労力を少なくできる。
【００１４】更に、補助なしで着脱が容易にできるため、プライバシー保護に大いに役立ち、自立支援にもなる。また、デザイン性に優れているため、着衣の乱れが最小限に抑えられ男女を問わず精神的な開放感を得られる。
【００１５】ファスナー位置の工夫により、前面に配置することで、座位のまま着脱が容易になりうる。とかく、「介護用品は価格が高い」のが難点だが、縫製工程の「確実なシステム化」により、価格を安価に抑えられ「普段着」として汎用化が可能である。
【実施例】
【００１６】  問屋への卸販売・インターネット販売
【産業上の利用可能性】
【００１７】  「高齢化・少子化」に伴ない、要介護高齢者は増加しているが、実際には「介護人の不足」「自立への本人の希望」により、「より安価で、使い易く、かつお洒落な『実用的衣服』」の開発は急務である。高齢者だけでなく、「身体障害者」にも対応する「製品」の産業上の利用可能性は極めて高いといえる。
【図面の簡単な説明】
【００１８】
【図１】  プルオーバー前面図形状
【図２】  プルオーバーの後面図形状
【符号の説明】
【００１９】▲１▼  ファスナー装着部分（コンシールファスナーを含む）
▲２▼  前後身ごろの裾の長さの差
▲３▼  袖口部分の折り返し縫い仕上げ
▲４▼  裾周り部分の折り返し縫い仕上げ
【図１】
2006214071.tif 000003
【手続補正書】
【提出日】平成17年5月16日(2005.5.16)
【手続補正１】
【補正対象書類名】明細書
【補正対象項目名】００１９
【補正方法】変更
【補正の内容】
【００１９】
【符号の説明】
１  ファスナー装着部分（コンシールファスナーを含む）
２  前後身ごろ、裾の長さの差
３  袖口部分の折り返し縫い仕上げ
４  裾周り部分の折り返し縫い仕上げ
【手続補正２】
【補正対象書類名】図面
【補正対象項目名】全図
【補正方法】変更
【補正の内容】
【図１】
2006214071.tif 000004
【図２】
2006214071.tif 000005
(57)【要約】【課題】      ベランダ、バルコニー等のデッキ床材がフロア面の傾斜、勾配と相反し、水平な床材のデッキ構造を提供することである。【解決手段】  床材根太の下部に脱着容易で支持高さ調整可能なプラスチックアジャスターを設けることにより、防腐、防水性に優れベランダ、バルコニーのフロア面の色素沈下をも防ぎ、屋内フロアとの高さレベルを水平に保つことができる【選択図】    図２
2006214191.tif 000002
【特許請求の範囲】
【請求項１】
ベランダ、バルコニー等の床材の下部に根太を設け、その根太に脱着容易なプラスチック製アジャスターを設けたことを特徴とするデッキの床構造
【請求項２】
支持高さ調整可能なアジャスターを設けたことを特徴とするデッキの床構造
【発明の詳細な説明】
【技術分野】
【０００１】
本発明は、ベランダ、バルコニー等のデッキに関するものであり、床材下部の根太にプラスチックアジャスターを設けることにより傾斜を伴う屋内フロアーとのレベルを水平に保ち、木のひねりからおきる高さ調整が可能なことによりベランダ、バルコニーの勾配、傾斜部分が無くなり、プラスチック製の特徴によりベランダ、バルコニーを等のフロアの色落ちも防ぐことができるようにしたものである。
【背景技術】
【０００２】
従来から図3に示す如く、支持脚によってフロアパネルを水平に支持する床構造がある。この例として、特権文献１に開示されているものがある。                            
【特許文献１】特開平８‐３５３１６号公報
【０００３】
又、この場合、床材等の表面板の寸法、形状、強度等が異なる場合に対応できない欠点がある。
【発明の開示】
【発明が解決しようとする課題】
【０００４】
しかしながら、上記従来の技術においては、床材等が異なる場合にベランダ、バルコニーの勾配、傾斜と平行設置になり人間が垂直に立つことが不可能であると言う、不都合を解決することを課題とする。
【０００５】
本発明は、上記従来の技術における問題を解決するために発明されたもので、すなわち、その課題は、ベランダ、バルコニー等の床材根太下部に脱着容易で支持高さ調整可能なプラスチック製アジャスターを設けたデッキ構造を提供することである。
【課題を解決するための手段】
【０００６】
この課題を解決するための請求項１の発明は、床材根太の下部に脱着容易なプラスチック製アジャスターを設けることにより、木材に比べ防腐、防水性に優れ、ゴム製に比べるとベランダ、バルコニー等の床面に施されているリノリュウム防水材の色素沈下を防ぐことができ、施工性にもすぐれている。
【０００７】
また、請求項２の発明は、アジャスターの支持高さ調整が可能なことを特徴とするデッキ構造である。プラスチックアジャスターの高さ調整をすることにより、ベランダ、バルコニーの勾配、傾斜をいつでも調整できるのである。
【発明の効果】
【０００８】
本発明により、床材を屋内フロアレベルの高さに平行に調整でき、ベランダ、バルコニーの勾配、傾斜を水平に保つことができる
【発明を実施するための最良の形態】
【０００９】
床材根太の下部に脱着容易で支持高さ調整可能なプラスチックアジャスターを設けることにより、防腐、防水性に優れベランダ、バルコニーのフロア面の色素沈下をも防ぎ、屋内フロアとの高さレベルを水平に保つことができる
【実施例】
【００１０】
図１は、床材根太（２）の下部にプラスチック製アジャスター（３）を設けたデッキの断面図である。このアジャスターを設けたことにより、屋内フロアと同じレベルの床材平面ができる。
【００１１】
図２は、ベランダ、バルコニーの側溝側の勾配、傾斜を考え、高さ調整を行ったアジャスター付きデッキの断面図である。この支持調整により屋内レベルと同じ高さになり、ベランダ、バルコニ−の床材が水平に保つことができる。
【産業上の利用可能性】
【００１２】
本発明に係る床材とプラスチックアジャスターは、工業的に量産する事が可能であるため、産業上の利用可能性を有する。
【図面の簡単な説明】
【００１３】
【図１】床材の根太下部にプラスチックアジャスターを設けたデッキの断面図である。
【図２】高さ調整を施したプラスチックアジャスターとベランダ、バルコニーのフロア面の断面図である。
【図３】従来型の参考図
【符号の説明】
【００１４】
１    床材
２    根太
３    高さ調整可能なプラスチックアジャスター
４    ベランダ、バルコニーのフロア面
５    従来から使用されている支持脚
【図１】
2006214191.tif 000003
【図２】
2006214191.tif 000004
【図３】
2006214191.tif 000005
(57)【要約】【課題】  直流増幅器及びこれに供給する電源を必要としない、簡易的に電界強度を測定できる簡単な構成の電界強度計を提案することを目的とする。【解決手段】電子機器から放射される電磁波を受信するアンテナ１と、このアンテナ１の出力信号を整流するダイオード３ａ、３ｂ及びコンデンサ３ｃより成る整流回路３と、この整流回路３の出力電流を計測する電流計４とより成るものである。【選択図】        図１
2006214988.tif 000002
【特許請求の範囲】
【請求項１】
電子機器から放射される電磁波を受信するアンテナと、
該アンテナの出力信号を整流するダイオード及びコンデンサより成る整流回路と、
該整流回路の出力電流を計測する電流計とより成ることを特徴とする電界強度計。
【請求項２】
請求項１記載の電界強度計において、
前記整流回路は倍電圧整流回路であることを特徴とする電界強度計。
【請求項３】
請求項１又は２記載の電界強度計において、
前記ダイオードはショットキバリアダイオードであることを特徴とする電界強度計。
【請求項４】
請求項１記載の電界強度計において、
前記アンテナを２つのアンテナ素子で構成し、前記２つのアンテナ素子の取り付け角度をアンテナと回路とのマッチングが良好になるようにしたことを特徴とする電界強度計。
【発明の詳細な説明】
【技術分野】
【０００１】
本発明は電子機器から放射される電磁波の電界強度を簡易的に測定する電界強度計に関する。
【背景技術】
【０００２】
一般にコンピュータや携帯電話等の電子機器の普及に伴い、これら電子機器から発生する放射電磁波の抑制が課題であり、例えばヨーロッパのＥＭＣ規格であるＥＮ５５０２０，ＥＮ５５０２４では、放射電磁界試験がある。
【０００３】
従来、放射電磁界試験は、６面に電磁波を吸収する電波吸収体が設けられた電波暗室内に被試験の電子機器を配置し、電界センサを用いた電界強度計にて電界強度を計測する如くしている（特許文献１参照）。
【特許文献１】特開平１１−４４７２０号公報
【発明の開示】
【発明が解決しようとする課題】
【０００４】
然しながら、従来の放射電磁界試験に使用される電界センサを用いた電界強度計は複雑な構成で高価であり破損し易く且つ電波暗室内に設置及び撤収するのに時間を要する不都合があった。
【０００５】
また、特許文献１に記載された電界強度計においては、更に直流増幅器、それに供給する電源等を必要とする不都合があった。
【０００６】
本発明は、斯かる点に鑑み、直流増幅器及びこれに供給する電源を必要としない、簡易的に電界強度を測定できる簡単な構成の電界強度計を提案することを目的とする。
【課題を解決するための手段】
【０００７】
本発明電界強度計は、電子機器から放射される電磁波を受信するアンテナと、このアンテナの出力信号を整流するダイオード及びコンデンサより成る整流回路と、この整流回路の出力電流を計測する電流計とより成るものである。
【発明の効果】
【０００８】
本発明によれば、アンテナと、整流回路と、電流計とより成る簡単な構成の電界強度計を電波暗室内に設置するだけで、被試験電子機器が電波を発射しているか否かを知ることができる。
【０００９】
また、本発明によれば、直流増幅器及びその電源を必要としないので、その分簡易化できる。
【発明を実施するための最良の形態】
【００１０】
以下、図１及び図２を参照して本発明電界強度計を実施するための最良の形態の例を説明する。
【００１１】
図１は、本例の回路構成を示し、図１において、１は２つのアンテナ素子１ａ及び１ｂより成る被試験用の電子機器から放射される電磁波を受信するアンテナを示す。
【００１２】
このアンテナ１の一方のアンテナ素子１ａを直流阻止用の結合コンデンサ２を介して、整流回路３を構成するダイオード３ａのアノードに接続し、この結合コンデンサ２及びダイオード３ａの接続中点を整流回路３を構成するダイオード３ｂのカソードに接続する。
【００１３】
また、アンテナ１の他方のアンテナ素子１ｂを、このダイオード３ｂのアノードに接続し、このダイオード３ａのカソードとダイオード３ｂのアノードとの間に整流回路３を構成する平滑用のコンデンサ３ｃを接続する。
【００１４】
この場合、このダイオード３ａ、３ｂ及びコンデンサ３ｃで構成する整流回路３は倍電圧整流回路を構成する。また、本例においては、このダイオード３ａ及び３ｂとして感度の良いショットキバリアダイオードを使用する。
【００１５】
この整流回路３の出力端子間即ちコンデンサ３ｃに並列に数百マイクロアンペアの電流測定用の電流計４を接続する。
【００１６】
本例による電界強度計の外観を図２に示す。図２において、５は、この電界強度計の筐体を示し、この筐体５内に回路構成が配され、アンテナ１を構成する２つのアンテナ素子１ａ及び１ｂはこの筐体５の外に所定の角度を付けて取り付ける。
【００１７】
この２つのアンテナ素子１ａ及び１ｂの角度はこのアンテナ１と回路とのマッチングを良好とする角度であり、電流計４の針を最大に振らせるためである。
【００１８】
また、電流計４の針の振れをこの筐体５の外部より観察できる如く、この電流計４をこの筐体５の表面に取り付ける。
【００１９】
本例は上述のように構成されているので、アンテナ1が電子機器から放射される電磁波を受信したときは、この電磁波が整流回路３で整流され電流計４の針が電磁波のレベルに応じて振れる。
【００２０】
従って，本例によれば、アンテナ1と、整流回路３と、電流計４とより成る簡単な構成の電界強度計を電波暗室内に設置するだけで、被試験電子機器が電波を発射しているか否かを知ることができる。
【００２１】
また、本例によれば、整流回路３を倍電圧整流回路とし、ダイオード３ａ、３ｂとして感度の良いショットキバリアダイオードを使用し、測定感度を上げ、直流増幅器及びその電源を必要としないので、その分簡易化できる。
【００２２】
尚、本発明は上述例に限ることなく、本発明の要旨を逸脱することなく、その他種々の構成が採り得ることは勿論である。
【図面の簡単な説明】
【００２３】
【図１】本発明電界強度計を実施するための最良の形態の例を示す回路構成図である。
【図２】本発明電界強度計の例を示す外観図である。
【符号の説明】
【００２４】
１…アンテナ、１ａ，１ｂ…アンテナ素子、２，３ｃ…コンデンサ、３…整流回路、３ａ，３ｂ…ショットキバリアダイオード、４…電流計
【図１】
2006214988.tif 000003
【図２】
2006214988.tif 000004
(57)【要約】      （修正有）【課題】新たな斜め入射補正式を考案し、従来の補正精度を上回る精度を得る。【解決手段】Ｘ線構造解析における回折Ｘ線の検出器への斜め入射時の強度を、cosνに加えてf(0)/f(ν)を乗ずることにより補正する斜め入射強度補正法であって、f(ν)が所定の式で表される。【選択図】なし【特許請求の範囲】
【請求項１】
Ｘ線構造解析における回折Ｘ線の検出器への斜め入射時の強度を、cosνに加えて
2006214728.tif 000005
を乗ずることにより補正する斜め入射強度補正法であって、f(ν)が以下の式で表される斜め入射時の強度補正。
2006214728.tif 000006
μp：Ｘ線の吸収係数、μE：読取用レーザー光の吸収係数、μp：発光の吸収係数
（式中の記号は、図１及び図2を参照）
【発明の詳細な説明】
【技術分野】
【０００１】
本発明は、Ｘ線構造解析における回折Ｘ線の検出器への斜め入射時の強度補正に関するものである。
【背景技術】
【０００２】
回折Ｘ線が検出器に入射するとき、検出器への入射角νに依存して読み取り強度が変化することが知られている。正確な回折強度を知るためにはこの斜め入射時に強度を補正する必要がある。
【０００３】
従来、読取強度にcosνを乗じることによる斜め入射補正が行われていた。
【非特許文献１】Acta Cryst. (1999). B55, 917-922
【発明の開示】
【発明が解決しようとする課題】
【０００４】
しかし、上記非特許文献１の補正方法は、全体としてはある程度良い信頼度因子が得られたものの、νが大きな反射ほどその補正精度が悪くなることが次第に明らかになった。
本発明は、新たな斜め入射補正式を考案し、従来の補正精度を上回る精度を得ることを目的とする。
【発明を実施するための最良の形態】
【０００５】
以下、実施例に基づいて本発明を具体的に説明するが、もとより本発明はこれらの実施例に限定されるものではない。
【実施例１】
【０００６】
69mmに球形整形したCeB6結晶を、真空カメラを用いてX線回折強度を測定した。波長l=0.71073AのX線を使用し、回転幅16o、0o~16o,10o~26oのように両端を6oずつ重ねて0o~186oまでの18枚を、露光時間12分および128分で計36枚を測定し斜め入射補正を行った。
従来のcosνによる補正では信頼度因子R=2.928%であったのに対し、
2006214728.tif 000002
【０００７】
による補正では信頼度因子R=1.891%であった。このことを図３及び図４を用いて以下に説明する。
【０００８】
図３は測定したすべての反射について、cosν補正を適用し、図４は測定したすべての反射について、
2006214728.tif 000003
【０００９】
補正を適用し、それぞれ計算強度に対する観測強度と計算強度の差
2006214728.tif 000004
【００１０】
を計算したものである。  図３は、グラフ両端においてdI/Iの値が大きくなっているのに対し、図４は、グラフ全域にわたって低いdI/I値を表示している。両図の比較からも上記信頼性の向上がわかる。
【図面の簡単な説明】
【００１１】
【図１】イメージングプレートと入射Ｘ線との関係を示した説明図である。
【図２】イメージングプレートの読取装置概念図である。
【図３】cosν補正を適用したdＩ/Ｉ散布図である。
【図４】f(0)/f(ν)cosν補正を適用したdＩ/Ｉ散布図である。
【図１】
2006214728.tif 000007
【図２】
2006214728.tif 000008
【図３】
2006214728.tif 000009
【図４】
2006214728.tif 000010